(57)【要約】【課題】充分な強度が得られる新規な構造の遊技機島ユニットを提供する。【解決手段】遊技機島ユニットにおける下部ユニット１００は、鉛直方向に起立する左右一対の縦材１１０と、両縦材１１０の上端部に水平方向に架け渡す上横材１２０とを備え、左縦材１１０Ｌと右縦材１１０Ｒと上横材１２０とを一側面から接続する側面板１３０を設けてなり、下部ユニット１００を、腰下柱４００を介して床面上に設置すると共に、該下部ユニット１００上に柱ユニット２００を配置し、該柱ユニット２００により上部ユニットを支持し、床面に下横材１４０を配置固定し、該下横材１４０の上方に下部ユニット１００を配置し、該下横材１４０と下部ユニット１００の縦材１１０の下端部とを下側板１５０によって接続した。【選択図】図１
2010104670.tif 000002
【特許請求の範囲】
【請求項１】
上部ユニットと、下部ユニットと、前記上部ユニットを支持して、前記下部ユニットと前記上部ユニットとの間に遊技機を配置する空間を形成する柱ユニットと、から構成する遊技機島ユニットにおいて、
前記下部ユニットは、鉛直方向に起立する左右一対の縦材と、両縦材の上端部に水平方向に架け渡す上横材とを備え、前記左縦材と右縦材と上横材とを一側面から接続する側面板を設けてなり、
前記下部ユニットを、腰下柱を介して床面上に設置すると共に、該下部ユニット上に柱ユニットを配置し、該柱ユニットにより上部ユニットを支持するようにしたことを特徴とする遊技機島ユニット。
【請求項２】
遊技機島の長さ方向の床面に下横材を配置固定し、該下横材の上方に前記下部ユニットを配置し、該下横材と前記下部ユニットの前記縦材の下端部とを下側板によって接続したことを特徴とする請求項１に記載の遊技機島ユニット。
【請求項３】
前記腰下柱は、隣接する下部ユニットの縦材同士を接続する腰下柱部材と、該腰下柱部材と接続して、床面に対して略水平に設けられる繋ぎ部材と、床面に設置するベース部材と、該ベース部材と前記繋ぎ部材とを接続し、該ベース部材と繋ぎ部材との間隔を調整可能とした調整部材と、からなることを特徴とする請求項１または２に記載の遊技機島ユニット。
【発明の詳細な説明】
【技術分野】
【０００１】
この発明は遊技店において、パチンコ機等の遊技機を列設して、遊技島を構成するための遊技機島ユニットに関する。
【背景技術】
【０００２】
従来の遊技機島ユニットとして、遊技機に対して遊技媒体を補給する補給樋を配置する部位である上部ユニットと、遊技機から排出された遊技媒体を回収する回収樋を配置する部位である下部ユニットと、この下部ユニットと上部ユニットとを連結する柱ユニットと、からなるものが知られている。（特許文献１）。
【０００３】
この従来の遊技機島ユニットの下部ユニットは、床面上に載置可能な腰下基部と、該腰下基部の上部に着脱可能な膳板ユニットと、腰下基部の起立補助を行わせるための固定ベースと、を含めて構成してある。腰下基部は、起立基板と、該起立基板の上に横置き固定した水平受け板と、該水平受け板の長手方向両端と中程から起立する縦板の上端に横置き固定した横板と、から構成してある。
【０００４】
固定ベースは、起立基板の内側に位置してその起立を補助するとともに、水平受け板をその下方から補強支持する機能を有し、下部ユニットの長さ方向両端に配置してある。また、固定ベースは、矩形のベース板と、ベース板の長さ方向両端に溶接固定した支持ブロックと、から構成してある。支持ブロックは、天板と、ベース板の幅方向両端から起立して天板両端につながる起立板と、から構成してある。天板には、ベース板の長さ方向に僅かに長い長孔を、ベース板の幅方向に並べて貫通形成してあり、この長孔は、腰下基部その他の部材を固定するためのボルトを貫通させるための孔である。ベース板には、当該ベース板を床固定するためのアンカーボルトを貫通させるためのボルト孔が開設してあり、ベースボルトにより、床面に対して当該ベース板のレベル調整を行なっている。
【０００５】
また、柱ユニットの支柱の下端部側端に固定した伸縮支持棒は、伸長したときに下端が床面に着地して柱ユニット及び柱ユニットが負担する荷重を水平受け板との間で分担負担可能に構成してある。
【０００６】
【特許文献１】特開２００７−６８９９１号公報
【発明の開示】
【発明が解決しようとする課題】
【０００７】
従来の遊技機島ユニットは、上述のように下部ユニットの下端部に固定ベースが設けられており、この固定ベースと遊技場の床面とが数本のボルトで接続しているのみであった。また、伸縮支持棒などの数本の棒状体が床面や床面に設置した板状体に着地しているのみであった。即ち、固定ベースと床面とは直接接続しておらず、遊技機島の荷重がこれら数本のボルトや棒状体を介して床面に伝達される構成となっていた（図３参照）。
【０００８】
また、この固定ベースは、遊技機島の長手方向における柱ユニットの配置間隔とは無関係に、遊技機島の長手方向に所定間隔で設けられており（図１参照）、この固定ベース間では、床面に接続する部材が上述の床面や床面に設置した板状体に着地している棒状体のみであった。したがって、下部ユニットの固定ベース間に柱ユニットを接続した場合、柱ユニットを介して伝達される上部ユニットの荷重が十分に床面に伝達されず、下部ユニットが固定ベース間で撓んでしまうという問題が生じていた。
【０００９】
そして、下部ユニットが撓むと、遊技機島全体のバランスが崩れたり、この下部ユニットを長手方向で支える縦板材が脆くなったりするなどして、遊技機島ユニットおよび複数の遊技機島ユニットを組み付けた遊技機島の全体の強度が低下するものとなる。
【００１０】
そこで、本発明は上記課題を鑑みてなされたものであり、その目的とするところは、充分な強度が得られる遊技機島ユニットを提供することにある。
【課題を解決するための手段】
【００１１】
前記課題を解決するために、請求項１に係る発明は、上部ユニットと、下部ユニットと、前記上部ユニットを支持して、前記下部ユニットと前記上部ユニットとの間に遊技機を配置する空間を形成する柱ユニットと、から構成する遊技機島ユニットにおいて、前記下部ユニットは、鉛直方向に起立する左右一対の縦材と、両縦材の上端部に水平方向に架け渡す上横材とを備え、前記左縦材と右縦材と上横材とを一側面から接続する側面板を設けてなり、前記下部ユニットを、腰下柱を介して床面上に設置すると共に、該下部ユニット上に柱ユニットを配置し、該柱ユニットにより上部ユニットを支持するようにしたことを特徴とする。
【００１２】
請求項２に係る発明は、請求項１に記載の遊技機島ユニットにおいて、遊技機島の長さ方向の床面に下横材を配置固定し、該下横材の上方に前記下部ユニットを配置し、該下横材と前記下部ユニットの前記縦材の下端部とを下側板によって接続したことを特徴とする。
【００１３】
請求項３に係る発明は、請求項１または２に記載の遊技機島ユニットにおいて、前記腰下柱は、隣接する下部ユニットの縦材同士を接続する腰下柱部材と、該腰下柱部材と接続して、床面に対して略水平に設けられる繋ぎ部材と、床面に設置するベース部材と、該ベース部材と前記繋ぎ部材とを接続し、該ベース部材と繋ぎ部材との間隔を調整可能とした調整部材と、からなることを特徴とする。
【発明の効果】
【００１４】
本発明によれば、左右の縦材と上横材とを一側面から接続する側面板を設けることにより、柱ユニットを介して加わる荷重が下部ユニットのどの部位に加わっても、その荷重を側面板が各縦材に分散させることにより、下部ユニットの撓みを防止でき、下部ユニットとして、充分な強度を得ることができる。
【発明を実施するための最良の形態】
【００１５】
以下、本発明を図示の一実施例について説明する。図１は、遊技機島の概略斜視図であり、遊技機島は、通常、図示していない遊技機を背中合せに二列に配置して構成している。本明細書では、この遊技機を二列に配置して遊技場の中程部分に配設する遊技機島を中島といい、遊技場の壁際に遊技機を一列に配置して構成する遊技機島を壁島という。そして、本発明に係る遊技機島ユニットは、中島および壁島の何れにも適用可能である。
【００１６】
遊技機島ユニット１は、上部ユニット３００と、下部ユニット１００と、前記上部ユニット３００を支持して、前記下部ユニット１００と前記上部ユニット３００との間に遊技機を配置する空間を形成する柱ユニット２００と、から構成してある。そこで、以下に、各ユニットについて説明する。
【００１７】
下部ユニット１００は、図２に示すように、複数の構成部材の結合からなっている。各構成部材は、集成材、無垢材等の木材を、所定の形状に切断加工してなる。加工前の木材は、規格品であって、所定の寸法を有している。
【００１８】
下部ユニット１００を構成する各構成部材は、所望の寸法に切断される。この寸法は、通常は配置する遊技機の台数によって決められている。１ユニット当りに配置する台数は、上部ユニット３００では、通常２台である。これに合わせて下部ユニット１００も略遊技機２台分の長さに設定すると、切り出しの際に無駄な部分が多く発生する。
【００１９】
そこで、本実施例においては、規格品の木材から、最大限に無駄の発生しない長さを切り出している。例えば、約１８００ｍｍの木材から所定の各構成部材を切り出している。
【００２０】
下部ユニット１００は、鉛直方向に起立する少なくとも左右一対の縦材１１０と、両縦材１１０の上端部に水平方向に架け渡す上横材１２０とを備え、前記左縦材１１０Ｌと右縦材１１０Ｒと上横材１２０とを一側面から接続する側面板１３０を設けてなる。なお、左右一対の縦材１１０Ｌ，１１０Ｒと、上横材１２０と、側面板１３０とは、下部ユニット１００を構成する構成部材の一部である。
【００２１】
各縦材１１０は、鉛直方向に起立する部材であって、本実施例では、左右一対の他に、内部に２本配置して、計４本配置してある。また、各縦材１１０の下方部分には、切欠部１１１が設けてあり、この切欠部１１１には、後述する下側板１５０を設ける。
【００２２】
縦材１１０の上端部には、上横材１２０を架け渡す。この上横材１２０は、比較的幅広な板材からなる膳板１２１と、この膳板１２１の上縁に設けられた板材からなる雛壇１２２と、雛壇１２２の後方側端部に設けられた角材からなる柱受け１２３と、膳板１２１の下面側において、縦材１１０の前側面に設けられ、左右一対の縦材１１０Ｌ、１１０Ｒを接続する板材からなる腰板受け１２４と、で構成している。
【００２３】
縦材１１０の一方の側面には、側面板１３０を設ける。この側面板１３０は、例えばラワン合板を用いることができ、本実施例では、比較的厚肉な、例えば厚さ９ｍｍのラワン合板を用いている。
【００２４】
前記のような各構成部材を用いて、下部ユニット１００を組み立てる。例えば、膳板１２１と雛壇１２２とを組み合わせて膳板グループを形成する。一方、各縦材１１０と側面板１３０と柱受け１２３と腰板受け１２４とを組み合せて側面板グループを形成する。そして、膳板グループと、側面板グループとを結合して、下部ユニット１００を形成する。なお、各部材の固定には、釘打ちや、ねじ止め等を適用することができ、接着剤を併用することもできるし、接着剤で固定するようにしてもよい。さらに、固定金具類を使用することもできる。
【００２５】
このようにして組み立てた下部ユニット１００は、側面板１３０によって、各部材が一体化しているので、上方から膳板１２１や雛壇１２２に加わる荷重を、各縦材１１０に分散することができる。
【００２６】
このような下部ユニット１００によれば、上方からの荷重を分散することができるし、側面板１３０を設けたことにより下部ユニット１００が面構造となり、側方からの荷重に対しても側面板１３０により対抗することができる。したがって、強度の向上が図れる。また、規格品の材料から遊技機の台数分の長さによらずに所望の長さに切り出して部材を構成するため、材料から部材を切り出す際に発生する無駄な部位がきわめて少なくなる。これにより施工時のコストを低減することができる。さらに、この下部ユニット１００は、部材の状態であっても、組み立てた状態であっても、容易に保管することができる。
【００２７】
次に、前記したような下部ユニット１００を用いた遊技機島ユニット１の施工法の一例を、図面を参照しながら説明する。なお、以下の説明は中島の説明であるが、壁島についても基本的には同様である。
【００２８】
図８（ａ）に示すように、設けようとする遊技機島の両端に島端柱１０を配置すると共に、所定の間隔で腰下柱４００を配置する。島端柱１０は、床面から後述する上部ユニット３００に達する部材で、一対の柱材１１と、この柱材１１の上方部分を連結する上連結材１２と、下端部分で連結する下連結材１３と、を備えてなる。
【００２９】
腰下柱４００は、図３に示すように、隣接する下部ユニット１００の縦材１１０Ｌ，１１０Ｒ同士を接続する腰下柱部材４１０と、該腰下柱部材４１０と接続して、床面に対して略水平に設けられる繋ぎ部材４２０と、床面に設置するベース部材４３０と、該ベース部材４３０と前記繋ぎ部材４２０とを接続し、該ベース部材４３０と繋ぎ部材４２０との間隔を調整可能とした調整部材４４０と、からなる。
【００３０】
具体的には、腰下柱４００を構成するベース部材４３０は、平板状の基板４３１から調整部材４４０となる２本のボルト４４１が立ち上がっている。なお、このボルト４４１には、受けナット４４２が螺合してある。腰下柱部材４１０は、略上半部分の横断面形状が内向きに開口している連結部４１１と、この連結部４１１の下方に位置する立片部４１２とを有している。
【００３１】
連結部４１１は、前記したように略上半部分の断面形状が内向きに開口するように、言い換えると、外向きは閉塞するように、側方取付板４１１ａと底板４１１ｂとを備えている。また、この側方取付板４１１ａ及び底板４１１ｂには、釘を打ち付けたり、ねじをねじ込んだりするための、取付孔４１１ｃが開設してある。立片部４１２は、止着板４１２ａ，４１２ａが対向しており、外側及び内側共に開口している。この止着板４１２ａにも、取付孔４１２ｃが開設してある。
【００３２】
中島において使用する腰下柱４００は、上記のような腰下柱部材４１０を所定の間隔で対向させ、繋ぎ部材４２０によって結合してなる。繋ぎ部材４２０には、板部４２１の縁から縁片４２２が起立しており、両端部、すなわち、前記した立片部４１２に対応する部分は、拡幅して結合片４２３となっている。そして、この結合片４２３において、前記立片部４１２と、溶接等の固定手段によって固定する。
【００３３】
繋ぎ部材４２０の板部４２１には、ボルト孔が開設してあり、前記したベース部材４３０のボルト４４１を挿通し、このボルト４４１に締付ナット４４３を締結することにより繋ぎ部材４２０を、ベース部材４３０に取り付けることができる。従って、前記したボルト４４１と受けナット４４２と締付ナット４４３とが調整部材４４０となって、腰下柱４００を床面に、高さ調整可能に取り付けることができる。また、この調整部材４４０により、繋ぎ部材４２０の水平度を調整可能ともしている。
【００３４】
前記した腰下柱部材４１０の連結部４１１を形成している側方取付板４１１ａの先端部分には、ガイド片４１１ａ′が屈曲形成してあり、下部ユニット１００の縦材１１０の挿入を容易にしている。そして、連結部４１１には、隣り合う下部ユニット１００の縦材１１０Ｌ，Ｒを挿入して固定する。このとき、連結部４１１は、側方取付板４１１ａと底板４１１ｂとから形成され、それぞれに取付孔４１１ｃ，４１２ｃが開設してあるので、双方からねじ等を止着することができる。すなわち、直交する方向から止着するので、きわめて強固な固定が可能になる。
【００３５】
なお、壁島において使用する腰下柱４００は、図７（ｂ）に示すように、繋ぎ部材４２０に固定する腰下柱部材４１０が、一方側のみとなっている。
【００３６】
次に、下横材１４０を床面に固定する（図８（ａ））。この下横材１４０は、集成材等からなる木材である。
【００３７】
そして下部ユニット１００を順次設置する。この設置は、腰下柱４００の連結部４１１に、下部ユニット１００の縦材１１０を挿入して行なう。このとき、遊技機島の長さ方向に隣接する下部ユニット１００の縦材１１０が、一つの連結部４１１に入ることになる。各下部ユニット１００の高さ方向の位置は、予め島端柱１０の間に張った水糸（不図示）を基準にして決める。このように腰下柱４００を介して下部ユニット１００を設置すると、当該下部ユニット１００の位置決めを正確に行なうことができ、凹凸等が発生することがなく仕上がりが良好となる。そして、この下部ユニット１００を基準として取り付ける後述の柱ユニット２００および上部ユニット３００も正確に取り付けることができる。各ユニットを正確に接続すると、付帯工事も正確に行なうことができ、補給樋や回収樋等を正確に配置することができるため、取付不良等に起因するトラブルを未然に回避することができる。
【００３８】
下部ユニット１００の設置が全て終了したら、下部ユニット１００と下横材１４０とに対して、下側板１５０を取り付ける（図８（ｂ））。下部ユニット１００の縦材１１０には切欠部１１１が設けてあり、この切欠部１１１に、下側板１５０を取り付ける。
【００３９】
このように下部ユニット１００と、床面に固定した下横材１４０とを下側板１５０で接続することにより、下部ユニット１００が受けた荷重を、下側板１５０を介して下横材１４０に伝達し、下横材１４０がその荷重を床面に対して面で伝達する。これにより、従来例のようにボルトなどのいわば点で荷重を伝達する場合に比べて、荷重が分散して床面に伝達される。したがって、遊技機島の土台となる部分の強度を向上させることができる。
【００４０】
次に、柱脚固定部材５００を、所定の位置に取り付ける。この柱脚固定部材５００は、後述する膳板柱６００の固定や、背中合せに対向する下部ユニット１００同士の間隔を規制する役割がある。また、柱脚固定部材５００は、後述する柱ユニット２００の一部を構成する部材であって、前記した下部ユニット１００に取り付ける取付片５１０と、後述する膳板柱６００の水平位置を調整可能に取り付ける調整取付手段５２０とを備えている。
【００４１】
柱脚固定部材５００の具体的な一例は、図４（ａ）に示すように、背中合せに配置した下部ユニット１００に渡る長さを有するように形成した横桟５３０と、この横桟５３０の両端部分の下面側に設けた、Ｌ字形の取付片５１０とを備えている。横桟５３０は、断面コ字形に形成した鋼材であり、調整取付手段５２０として、ボルト５２１と支えナット５２２と固定ナット５２３および座金５２４が、３組鉛直方向に設けてある。なお、このボルトナットは３組に限るものではなく、適宜に増減可能である。
【００４２】
一方、横桟５３０の両側端部の下面側には、断面Ｌ字状の取付片５１０が、溶接等の固定手段によって固定してある（図４（ｂ））。そして、取付片５１０の対向間隔が、下部ユニット１００の対向間隔となり、この下部ユニット１００の対向空間は、回収樋を収設するためのスペースとなる。
【００４３】
上記のように構成した柱脚固定部材５００には、膳板柱６００を取り付ける。この膳板柱６００は、前記した柱脚固定部材５００とともに、柱ユニット２００を構成するものである。この膳板柱６００は、具体的には、図５に示すように、一対の柱材６１０と、該柱材６１０の間隔を規定する上部柱幅固定金具６２０及び下部柱幅固定金具６３０並びに配線受け金具６４０と、上部ユニット３００の一部を受け入れる受入部６５０と、を備えている。
【００４４】
下部柱幅固定金具６３０は、Ｌ字型の鋼材であって、この下部柱幅固定金具６３０には、前記した調整取付手段５２０の３本のボルト５２１を挿通可能なボルト孔６３１が、開設してある。一方、上部柱幅固定金具６２０は、Ｌ字型の鋼材であって、柱材６１０の上方部分における幅の拡がりを防止している。
【００４５】
柱材６１０の上方部分に設ける受入部６５０は、金属板を屈曲成形した受入部材６５１を柱材６１０に取り付けてなる。受入部材６５１は、柱材６１０に添設する基板部６５２から、略直角に外向き底板部６５３が屈曲して延出している。また、この底板部６５３の上下の端部付近には、前記基板部６５２と平行方向に側板部６５４が屈曲延出し、さらに、側板部６５４の先端が外向きに斜めに屈曲延出して、案内部６５５を形成している。なお、底板部６５３には、取付孔６５６が開設してある。
【００４６】
上部ユニット３００は、本実施例では図６に示すように、棚天板３１０と棚地板３２０と左右の縦部材３３０と、中間の中縦部材３４０とを備え、棚天板３１０及び棚地板３２０を、左右の縦部材３３０の中段に配置し、左右の縦部材３３０の上端には、笠木３５０を架け渡し、左右の縦部材３３０の下端には、鴨居３６０を架け渡してなる。また、棚天板３１０と棚地板３２０との間の後面側には、背板３７０が設けてある。さらに、棚地板３２０の下側で、縦部材３３０と鴨居３６０の前面側には棚付ランプ板３８０が設けてある。これらの各部材は集成材等からなっている。なお、棚天板３１０、棚地板３２０及び背板３７０を設けない構成としてもよい。
【００４７】
そして、隣接する上部ユニット３００を、ダボ３９１及びダボ孔３９２等の位置決め接続手段によって接続する。上記のように組んだ上部ユニット３００を柱ユニット２００に取り付ける（図１）。具体的には、上部ユニット３００を構成する左右の縦部材３３０の所定部位を、柱ユニット２００の受入部６５０に挿着する。なお、上部ユニット３００の取付位置は、下部ユニット１００の上端を基準にして行なう。
【００４８】
上記のように下部ユニット１００を基準にして柱ユニット２００を介して上部ユニット３００を取り付けると、下部ユニット１００が言わば土台となり、柱ユニット２００が柱材となるので、上部ユニット３００の床面に対する位置決めを容易に行なうことができる。そして上部ユニット３００が正しい位置にあると、補給樋の収設等の付帯工事を正確に行なうことができ、取付不良等に起因するトラブルの発生を回避可能である。
【００４９】
また、上部ユニット３００の荷重を柱ユニット２００を介して下部ユニット１００に伝達し、下部ユニット１００から下横材１４０及び腰下柱４００を通じて床面に伝達することができる。
【００５０】
次に、腰板１７０を取り付けるための腰板取付部材１６０を、下側板１５０の上方に取り付ける（図１及び図７（ａ））。なお、この作業と前後して、回収樋の収設に関連する付帯作業を行なう。このようにして、遊技機を背中合わせに配置する中島を施工することができる。
【００５１】
一方、壁島については、図７（ｂ）に示すように、壁島用の腰下柱４０１の片側に下部ユニット１００を配置し、柱ユニット２００の片側に上部ユニット３００を配置して、壁島を構成する。具体的には、繋ぎ部材４２０に固定する腰下柱部材４１０を片側にのみ設けた腰下柱４０１を用い、この腰下柱４０１に通路側の下部ユニット１００を取り付ける。そして、この下部ユニット１００に、通路側の柱ユニット２００および上部ユニット３００を、前記した中島と同様に取り付ける。一方、壁側には、下部壁際ユニット１０１を取り付ける。この下部壁際ユニット１０１は、左右一対の縦材１１２と、両縦材１１２の上端部に水平方向に架け渡す上横材１２５と、前記縦材１１２と上横材１２５とを内側面（壁面とは反対側）から接続する側面板１３１と、を備える面構造となっている。そして、縦材１１２と下横材１４０とを接続固定している。また、柱ユニット２００の壁側の膳板柱６００には、上部ユニットに替えて上部枠材３０１を設けている。
【００５２】
この壁島においても、上部ユニット３００の荷重を柱ユニット２００を介して下部ユニット１００及び下部壁際ユニット１０１に伝達し、下部ユニット１００及び下部壁際ユニット１０１から下横材１４０及び壁島用の腰下柱４０１を通じて床面に伝達することができる。
【００５３】
以上、本発明を図示の実施例について説明したが、本発明は前記した各実施例に限定されるものではなく、特許請求の範囲に記載した構成を変更しない限り適宜に実施できる。例えば、遊技機島の全長に対応して、島端部或いは球揚送装置に隣接する位置の下部ユニットにおける遊技機の設置台数を変更したり、球揚送装置に合せて構成を変更したりすることが可能である。
【図面の簡単な説明】
【００５４】
【図１】遊技機島の概略斜視図であって、説明のため一部下側板１５０を取り外した状態を示す。
【図２】下部ユニットの斜視図である。
【図３】腰下柱を示し、（ａ）は平面図、（ｂ）は正面図、（ｃ）は側面図である。
【図４】柱脚固定金具を示し、（ａ）は正面図、（ｂ）は側面図である。
【図５】膳板柱を示し、（ａ）は正面図、（ｂ）は側面図、（ｃ）は底面図である。
【図６】上部ユニットを示し、（ａ）は正面図、（ｂ）は（ａ）のＢ−Ｂ線に沿った端面図、（ｃ）は（ａ）のＣ−Ｃ線に沿った端面図である。
【図７】遊技機島の断面方向の概略を示す説明図であって、（ａ）は中島の場合を、（ｂ）は壁島の場合を示す。
【図８】（ａ）及び（ｂ）は遊技機島ユニットの施工手順を示す概略斜視図であって、（ｂ）においては、説明のため一部下側板１５０を取り外した状態を示す。
【符号の説明】
【００５５】
１      遊技機島ユニット
１０    島端柱
１１    柱材
１２    上連結材
１３    下連結材
１００  下部ユニット
１０１  下部壁際ユニット
１１０  縦材
１１１  切欠部
１１２  縦材
１２０  上横材
１２１  膳板
１２２  雛壇
１２３  柱受け
１２４  腰板受け
１２５  上横材
１３０  側面板
１３１  側面板
１４０  下横材
１５０  下側板
１６０  腰板取付部材
２００  柱ユニット
３００  上部ユニット
３０１  上部枠材
３１０  棚天板
３２０  棚地板
３３０  縦部材
３４０  中縦部材
３５０  笠木
３６０  鴨居
３７０  背板
３８０  棚付ランプ板
３９１  ダボ
３９２  ダボ孔
４００  腰下柱
４０１  腰下柱
４１０  腰下柱部材
４１１  連結部
４１２  立片部
４２０  繋ぎ部材
４２１  板部
４２２  縁片
４２３  結合片
４３０  ベース部材
４３１  基板
４４０  調整部材
４４１  ボルト
４４２  受けナット
４４３  締付ナット
５００  柱脚固定部材
５１０  取付片
５２０  調整取付手段
５２１  ボルト
５２２  支えナット
５２３  固定ナット
５２４  座金
５３０  横桟
６００  膳板柱
６１０  柱材
６２０  上部柱幅固定金具
６３０  下部柱幅固定金具
６３１  ボルト孔
６４０  配線受け金具
６５０  受入部
６５１  受入部材
６５２  基板部
６５３  底板部
６５４  側板部
６５５  案内部
６５６  取付孔
【図１】
2010104670.tif 000003
【図２】
2010104670.tif 000004
【図３】
2010104670.tif 000005
【図４】
2010104670.tif 000006
【図５】
2010104670.tif 000007
【図６】
2010104670.tif 000008
【図７】
2010104670.tif 000009
【図８】
2010104670.tif 000010